(57)【要約】【課題】ウェブ搬送装置及び印刷機において、乾燥装置から搬送されて表面に溶剤を含む塗布液が塗布された面に蒸発した溶剤が再付着することにより、塗布面が欠損することを防止する。【解決手段】乾燥装置１４により乾燥されたウェブＷを冷却装置１５の冷却シリンダ２５に巻き付けて搬送しながら冷却するウェブ搬送工程にて、冷却シリンダ２５によるウェブＷの巻付け開始位置の近傍における気流の流れを促進する気流促進手段として、空気供給装置３１を設ける。【選択図】図１
2011116036.tif 000002
【特許請求の範囲】
【請求項１】
乾燥装置により乾燥されたウェブを回転体に巻き付けて搬送するウェブ搬送装置において、
前記回転体によるウェブの巻付け開始位置の近傍における気流の流れを促進する気流促進手段が設けられる、
ことを特徴とするウェブ搬送装置。
【請求項２】
前記気流促進手段は、前記回転体によるウェブの巻付け開始位置の近傍の溶剤蒸気滞留部に向けて流体を供給する流体供給手段を有することを特徴とする請求項１に記載のウェブ搬送装置。
【請求項３】
前記流体供給手段は、前記回転体における回転方向の上流側から前記溶剤蒸気滞留部に向けて流体を供給することを特徴とする請求項２に記載のウェブ搬送装置。
【請求項４】
前記流体供給手段は、前記回転体に巻き付けられるときの接触面側に向けて流体を供給することを特徴とする請求項２または３に記載のウェブ搬送装置。
【請求項５】
前記流体供給手段による流体供給方向は、前記回転体に巻き付けられるウェブの走行方向の下流側に向けて所定の鋭角に設定されることを特徴とする請求項４に記載のウェブ搬送装置。
【請求項６】
前記流体供給手段による流体供給速度及び流体供給流量は、装置の運転速度に連動して制御されることを特徴とする請求項３から５のいずれか一つに記載のウェブ搬送装置。
【請求項７】
前記流体供給手段による流体供給速度は、前記回転体の周速またはウェブの搬送速度と同速度に設定されることを特徴とする請求項６に記載のウェブ搬送装置。
【請求項８】
前記流体供給手段は、ウェブにおける走行方向の上流側から前記溶剤蒸気滞留部に向けて流体を供給することを特徴とする請求項２に記載のウェブ搬送装置。
【請求項９】
前記流体供給手段は、空気またはミストを含有する空気を噴射可能であることを特徴とする請求項２から８のいずれか一つに記載のウェブ搬送装置。
【請求項１０】
前記流体供給手段は、前記回転体における軸方向における中央部から端部側に向けて流体を供給することを特徴とする請求項２から９のいずれか一つに記載のウェブ搬送装置。
【請求項１１】
前記気流促進手段は、前記回転体によるウェブの巻付け開始位置の近傍に滞留する溶剤蒸気を吸引する流体吸引手段を有することを特徴とする請求項１に記載のウェブ搬送装置。
【請求項１２】
前記気流促進手段は、前記回転体によるウェブの巻付け開始位置の近傍の溶剤蒸気滞留部に向けて流体を供給する流体供給手段と、前記回転体によるウェブの巻付け開始位置の近傍に滞留する溶剤蒸気を吸引する流体吸引手段を有することを特徴とする請求項１に記載のウェブ搬送装置。
【請求項１３】
前記乾燥装置は、ウェブに熱を与えて乾燥するものであり、前記回転体は、ウェブを冷却する冷却装置を有することを特徴とする請求項１から１２のいずれか一つに記載のウェブ搬送装置。
【請求項１４】
巻取紙からウェブを供給する給紙装置と、
該給紙装置から繰り出されたウェブに印刷を施す印刷装置と、
該印刷装置により印刷が施されたウェブを乾燥する乾燥装置と、
該乾燥装置により乾燥されたウェブを冷却シリンダに巻き付けて冷却する冷却装置と、
該冷却装置により冷却されたウェブを裁断して折り曲げることで折帖を形成する折り装置と、
該折り装置により形成された折帖を排紙する排紙装置と、
を備える印刷機において、
前記冷却シリンダによるウェブの巻付け開始位置の近傍における気流の流れを促進する気流促進手段が設けられる、
ことを特徴とする印刷機。
【請求項１５】
巻取紙からウェブを供給する給紙装置と、
該給紙装置から繰り出されたウェブに下地処理剤を供給する下地処理剤供給装置と、
ウェブに供給された下地処理剤を乾燥する乾燥装置と、
該乾燥装置により乾燥されたウェブを巻き付けて搬送する回転体と、
を備える印刷機であって、
前記回転体によるウェブの巻付け開始位置の近傍における気流の流れを促進する気流促進手段が設けられる、
ことを特徴とする印刷機。
【発明の詳細な説明】
【技術分野】
【０００１】
本発明は、印刷乾燥されたウェブをガイドロールにより搬送するウェブ搬送装置、並びに、このウェブ搬送装置が搭載された印刷機に関するものである。
【背景技術】
【０００２】
一般に、オフセット輪転印刷機は、給紙装置とインフィード装置と印刷装置と乾燥装置と冷却装置とウェブパス装置と折り装置と排紙装置とから構成されている。従って、給紙装置により巻取体からウェブが引き出され、このウェブがインフィード装置により所定のテンションで印刷装置に供給され、この印刷装置における各印刷ユニットにより多色印刷が施され、印刷されたウェブは、乾燥装置でインキが乾燥され、冷却装置で冷却され、ウェブパス装置を経て搬送された後、折り装置により切断されて折り畳まれることで折帖が作成され、排紙装置により搬出される。
【０００３】
ところで、上述したオフセット輪転印刷機では、印刷されたウェブは、乾燥装置にて、転写されたインキが温風乾燥され、冷却装置にて、複数のシリンダに接触しながら搬送されることで、乾燥後の過剰な熱が冷却される。この場合、乾燥装置では、ウェブの印刷面（転写されたインキ）に対して温風を吹き付けることで、インキを乾燥しており、このとき、インキに含まれる溶剤が蒸気となり、この溶剤蒸気がウェブの走行に同伴して冷却装置に流れ込む。冷却装置では、ウェブの印刷面をシリンダに接触させて冷却することから、乾燥装置からの溶剤蒸気がウェブの印刷面とシリンダ外周面との接触部周辺に滞留し、このとき、溶剤蒸気が冷却されることで凝縮して印刷面に付着する。すると、溶剤蒸気が付着したウェブの印刷面では、転写されたインキが溶解し、ウェブの印刷面が次のシリンダの外周面に接触したとき、溶解したインキがシリンダの表面に付着し、ウェブでは印刷欠損が発生する一方、シリンダでは汚れが発生してウェブの搬送に支障をきたしてしまう。
【０００４】
そこで、乾燥装置からの溶剤蒸気が冷却装置側に流れ込むのを防止する技術として、例えば、下記特許文献１に記載されたものがある。この特許文献１に記載されたスモークカッター装置では、乾燥装置から排出されたウェブの上下面に向けて空気を吹き付けることで、ウェブに同伴するスモーク（溶剤蒸気）を除去（剥離）させている。
【先行技術文献】
【特許文献】
【０００５】
【特許文献１】実開平０６−０６４８７１号公報
【発明の概要】
【発明が解決しようとする課題】
【０００６】
上述した従来のスモークカッター装置にあっては、ウェブの上下面に向けて空気を吹き付けることで、ウェブに同伴するスモークを除去しており、ウェブへの空気の吹き付け速度（流量）が重要となる。即ち、ウェブへの空気の吹き付け速度が低速である場合には、ウェブに同伴するスモークを適正に除去することができない。一方、ウェブへの空気の吹き付け速度が高速である場合には、この吹き付け空気によりウェブにばたつきが発生し、ウェブがスモークカッターに接触したり、乾燥装置内で周辺部材に接触したりすることがあり、ウェブの印刷面が損傷してしまうおそれがある。
【０００７】
本発明は上述した課題を解決するものであり、乾燥装置から搬送されて表面に溶剤を含む塗布液が塗布された面に蒸発した溶剤が再付着することにより、塗布面が欠損することを防止するウェブ搬送装置及び印刷機を提供することを目的とする。
【課題を解決するための手段】
【０００８】
上記の目的を達成するための本発明のウェブ搬送装置は、乾燥装置により乾燥されたウェブを回転体に巻き付けて搬送するウェブ搬送装置において、前記回転体によるウェブの巻付け開始位置の近傍における気流の流れを促進する気流促進手段が設けられる、ことを特徴とするものである。
【０００９】
従って、ウェブが乾燥装置から回転体に巻き付けられるとき、気流促進手段によりこの回転体によるウェブの巻付け開始位置の近傍における気流の流れが促進されることで、ウェブに同伴する溶剤蒸気が回転体によるウェブの巻付け開始位置の近傍で滞留することはなく、乾燥装置から搬送されるウェブに対して、このウェブに同伴する溶剤蒸気による悪影響を抑制し、インキや水性ニスなどの塗布液が塗布された塗布面の品質の向上を可能とすることができる。
【００１０】
本発明のウェブ搬送装置では、前記気流促進手段は、前記回転体によるウェブの巻付け開始位置の近傍の溶剤蒸気滞留部に向けて流体を供給する流体供給手段を有することを特徴としている。
【００１１】
従って、気流促進手段を流体供給手段とすることで、装置を簡素化することが可能となり、また、流体供給手段は、溶剤蒸気滞留部に向けて流体を供給するため、ここに滞留する溶剤蒸気を適正に除去することができる。
【００１２】
本発明のウェブ搬送装置では、前記流体供給手段は、前記回転体における回転方向の上流側から前記溶剤蒸気滞留部に向けて流体を供給することを特徴としている。
【００１３】
従って、流体供給手段が、回転体が回転することで発生する周囲の気流に合わせて流体を供給することで、流体を溶剤蒸気滞留部に向けて効率良く供給することができる。
【００１４】
本発明のウェブ搬送装置では、前記流体供給手段は、前記回転体に巻き付けられるときの接触面側に向けて流体を供給することを特徴としている。
【００１５】
従って、回転体とウェブ接触面側に向けて流体を供給するため、回転体によりウェブが回転体に巻き付けられてその搬送方向が変わるとき、適切に溶剤濃度を低下させることができ、塗布面の欠損をより効果的に防止することができる。
【００１６】
本発明のウェブ搬送装置では、前記流体供給手段による流体供給方向は、前記回転体に巻き付けられるウェブの走行方向の下流側に向けて所定の鋭角に設定されることを特徴としている。
【００１７】
従って、流体供給手段からの流体を、適正に溶剤蒸気滞留部に供給することができる。
【００１８】
本発明のウェブ搬送装置では、前記流体供給手段による流体供給速度及び流体供給流量は、装置の運転速度に連動して制御されることを特徴としている。
【００１９】
従って、装置の運転速度に応じて、より適切な流れを発生させて溶剤濃度を低下させることができ、塗布面の欠損をより効果的に防止することができる。
【００２０】
本発明のウェブ搬送装置では、前記流体供給手段による流体供給速度は、前記回転体の周速またはウェブの搬送速度と同速度に設定されることを特徴としている。
【００２１】
従って、流体供給手段からの流体が、回転体が回転することで発生する周囲の気流と適正に流入することで、ウェブの搬送や印刷面に与える悪影響を低減することができる。
【００２２】
本発明のウェブ搬送装置では、前記流体供給手段は、ウェブにおける走行方向の上流側から前記溶剤蒸気滞留部に向けて流体を供給することを特徴としている。
【００２３】
従って、流体供給手段からの流体が、回転体に向かうウェブの同伴流と一緒となって溶剤蒸気滞留部に供給されることとなり、流体を適正に溶剤蒸気滞留部に供給することができる。
【００２４】
本発明のウェブ搬送装置では、前記流体供給手段は、空気またはミストを含有する空気を噴射可能であることを特徴としている。
【００２５】
従って、流体として空気を適用することで、構造の簡素化が可能となり、また、ミストを含有する空気を適用することで、乾燥装置で加熱されたウェブを冷却することができる。
【００２６】
本発明のウェブ搬送装置では、前記流体供給手段は、前記回転体における軸方向における中央部から端部側に向けて流体を供給することを特徴としている。
【００２７】
従って、流体が回転体における軸方向における中央部から端部側に向けて供給されることで、溶剤蒸気は、回転体から単に離間する方向に排除されるだけでなく、軸端側にも排除されることとなり、溶剤蒸気を適正に排除し、ウェブに同伴する溶剤蒸気による悪影響を抑制することができる。
【００２８】
本発明のウェブ搬送装置では、前記気流促進手段は、前記回転体によるウェブの巻付け開始位置の近傍に滞留する溶剤蒸気を吸引する流体吸引手段を有することを特徴としている。
【００２９】
従って、気流促進手段を流体吸引手段とすることで、装置を簡素化することが可能となり、また、流体吸引手段は、滞留する溶剤蒸気を吸引するため、環境状態の悪化を防止することができる。
【００３０】
本発明のウェブ搬送装置では、前記気流促進手段は、前記回転体によるウェブの巻付け開始位置の近傍の溶剤蒸気滞留部に向けて流体を供給する流体供給手段と、前記回転体によるウェブの巻付け開始位置の近傍に滞留する溶剤蒸気を吸引する流体吸引手段を有することを特徴としている。
【００３１】
従って、流体供給手段及び溶剤吸引手段は、溶剤蒸気滞留部に滞留する溶剤蒸気をより適正に除去することができ、且つ、溶剤吸引手段は、滞留する溶剤蒸気を吸引して環境状態の悪化を防止することができる。
【００３２】
本発明のウェブ搬送装置では、前記乾燥装置は、ウェブに熱を与えて乾燥するものであり、前記回転体は、ウェブを冷却する冷却装置を有することを特徴としている。
【００３３】
従って、乾燥装置で熱乾燥されたウェブを回転体の冷却装置により冷却することができ、印刷品質を向上することができる。
【００３４】
また、本発明の印刷機は、巻取紙からウェブを供給する給紙装置と、該給紙装置から繰り出されたウェブに印刷を施す印刷装置と、該印刷装置により印刷が施されたウェブを乾燥する乾燥装置と、該乾燥装置により乾燥されたウェブを冷却シリンダに巻き付けて冷却する冷却装置と、該冷却装置により冷却されたウェブを裁断して折り曲げることで折帖を形成する折り装置と、該折り装置により形成された折帖を排紙する排紙装置と、を備える印刷機において、前記冷却シリンダによるウェブの巻付け開始位置の近傍における気流の流れを促進する気流促進手段が設けられる、ことを特徴とするものである。
【００３５】
従って、ウェブが乾燥装置から冷却シリンダに巻き付けられるとき、気流促進手段によりこの冷却シリンダによるウェブの巻付け開始位置の近傍における気流の流れが促進されることで、ウェブに同伴する溶剤蒸気が冷却シリンダによるウェブの巻付け開始位置の近傍で滞留することはなく、乾燥装置から搬送されるウェブに対して、このウェブに同伴する溶剤蒸気による悪影響を抑制し、印刷品質の向上を可能とすることができる。
【００３６】
また、本発明の印刷機は、巻取紙からウェブを供給する給紙装置と、該給紙装置から繰り出されたウェブに下地処理剤を供給する下地処理剤供給装置と、ウェブに供給された下地処理剤を乾燥する乾燥装置と、該乾燥装置により乾燥されたウェブを巻き付けて搬送する回転体と、を備える印刷機であって、前記回転体によるウェブの巻付け開始位置の近傍における気流の流れを促進する気流促進手段が設けられる、ことを特徴とする印刷機。
【００３７】
従って、ウェブが乾燥装置から回転体に巻き付けられるとき、気流促進手段によりこの回転体によるウェブの巻付け開始位置の近傍における気流の流れが促進されることで、ウェブに同伴する溶剤蒸気が回転体によるウェブの巻付け開始位置の近傍で滞留することはなく、乾燥装置から搬送されるウェブに対して、このウェブに同伴する溶剤蒸気による悪影響を抑制し、下地処理剤などの塗布液が塗布された塗布面の品質の向上を可能とすることができる。
【発明の効果】
【００３８】
本発明のウェブ搬送装置によれば、回転体によるウェブの巻付け開始位置の近傍における気流の流れを促進する気流促進手段を設けるので、乾燥装置から搬送されて表面に溶剤を含む塗布液が塗布された面が溶剤により再び欠損することを防止することができる。
【００３９】
また、本発明の印刷機によれば、給紙装置と印刷装置と乾燥装置と冷却装置と折り装置と排紙装置とを備えて構成し、冷却シリンダによるウェブの巻付け開始位置の近傍における気流の流れを促進する気流促進手段を設けるので、乾燥装置から搬送されるウェブに対して、このウェブに同伴する溶剤蒸気による悪影響を抑制し、品質の向上を可能とすることができる。
【００４０】
また、本発明の印刷機によれば、給紙装置と下地処理剤供給装置と乾燥装置とガイドローラとを備えて構成し、ガイドローラによるウェブの巻付け開始位置の近傍における気流の流れを促進する気流促進手段を設けるので、乾燥装置から搬送されるウェブに対して、このウェブに同伴する溶剤蒸気による悪影響を抑制し、品質の向上を可能とすることができる。
【図面の簡単な説明】
【００４１】
【図１】図１は、本発明の実施例１に係るウェブ搬送装置を表す概略図である。
【図２】図２は、実施例１のウェブ搬送装置における空気噴射装置を表す概略図である。
【図３】図３は、冷却シリンダ近傍における溶剤蒸気の流れを表す詳細図である。
【図４−１】図４−１は、従来のウェブ搬送装置における冷却シリンダ近傍での溶剤蒸気の流れを表す概略図である。
【図４−２】図４−２は、実施例１のウェブ搬送装置における冷却シリンダ近傍での溶剤蒸気の流れを表す概略図である。
【図５】図５は、実施例１のウェブ搬送装置が搭載された印刷機としての商業用オフセット輪転印刷機を表す概略構成図である。
【図６】図６は、本発明の実施例２に係るウェブ搬送装置を表す概略図である。
【図７】図７は、本発明の実施例３に係るウェブ搬送装置を表す概略図である。
【図８】図８は、本発明の実施例４に係るウェブ搬送装置を表す概略図である。
【図９】図９は、実施例４のウェブ搬送装置の変形例を表す概略図である。
【図１０】図１０は、本発明の実施例５に係るウェブ搬送装置を表す概略図である。
【図１１】図１１は、実施例６のウェブ搬送装置が搭載された印刷機を表す概略構成図である。
【発明を実施するための形態】
【００４２】
以下に添付図面を参照して、本発明に係るウェブ搬送装置及び印刷機の好適な実施例を詳細に説明する。なお、この実施例により本発明が限定されるものではない。
【実施例１】
【００４３】
図１は、本発明の実施例１に係るウェブ搬送装置を表す概略図、図２は、実施例１のウェブ搬送装置における空気噴射装置を表す概略図、図３は、冷却シリンダ近傍における溶剤蒸気の流れを表す詳細図、図４−１は、従来のウェブ搬送装置における冷却シリンダ近傍での溶剤蒸気の流れを表す概略図、図４−２は、実施例１のウェブ搬送装置における冷却シリンダ近傍での溶剤蒸気の流れを表す概略図、図５は、実施例１のウェブ搬送装置が搭載された印刷機としての商業用オフセット輪転印刷機を表す概略構成図である。
【００４４】
本実施例の印刷機は、商業用オフセット輪転印刷機であって、図５に示すように、給紙装置１１と、インフィード装置１２と、印刷装置１３と、乾燥装置１４と、冷却装置１５と、ウェブパス装置１６と、折り装置１７と、排紙装置１８とから構成されている。
【００４５】
給紙装置１１は、２つの巻取体（ウェブロール）が装着されるリールスタンドを有しており、一方の巻取体から引き出されて走行しているウェブＷを、他方の巻取体のウェブＷに接続することで、連続的にウェブＷを供給可能となっている。インフィード装置１２は、給紙装置１１から繰り出されたウェブＷを印刷装置１３側に供給するものである。印刷装置１３は、４つのインキ色である藍（Cyan）、紅（Magenta）、黄（Yellow）、墨（Black）ごとの４個の印刷ユニット２１，２２，２３，２４がウェブ走行方向に沿って並設されて構成されている。各印刷ユニット２１，２２，２３，２４は、走行するウェブＷの両面（表面及び裏面）に印刷を施すことができる。
【００４６】
乾燥装置１４は、印刷装置１３により印刷が施されたウェブＷ上のインキを乾燥させるためのものであり、印刷が施されたウェブＷの上面及び下面に対して温風を吹き付け、インキを乾燥することができる。冷却装置１５は、乾燥装置１４での乾燥後の過剰な熱を蓄えるウェブＷを適当な温度まで冷却するものであり、ウェブＷを巻き付けて冷却する複数（本実施例では、４個）の冷却シリンダ２５，２６，２７，２８を有している。この冷却シリンダ２５，２６，２７，２８は、内部に冷却水を循環することで、接触するウェブＷを冷却可能となっている。ウェブパス装置１６は、乾燥されて冷却されたウェブＷを搬送するものであり、折り装置１７は、ウェブＷを縦折りされた後に断裁し、所定の大きさに折り畳んで折帖を形成するものであり、排紙装置１８は、折り畳まれた折帖を機外へ搬出するものである。
【００４７】
従って、給紙装置１１により巻取体からウェブＷが引き出され、インフィード装置１２により印刷装置１３に供給され、この印刷装置１３にて、各印刷ユニット２１，２２，２３，２４により多色両面印刷が施され、印刷されたウェブＷは、乾燥装置１４で温風によりインキが乾燥され、冷却装置１５の各冷却シリンダ２５，２６，２７，２８に接触することで冷却され、ウェブパス装置１６を経て搬送された折り装置１７により折帖が作成され、排紙装置１８により搬出される。
【００４８】
ところで、このような商業用オフセット輪転印刷機の印刷装置１３にて、使用されるインキは、溶剤を含んでいる。例えば、油性インキ及び水性インキは、一般に、顔料、インキ用樹脂、石油系溶剤または水溶性溶剤、添加剤などを主成分として形成されている。そして、この印刷装置１３で印刷されたウェブＷは、乾燥装置１４にて、転写されたインキが温風乾燥され、冷却装置１５にて、各冷却シリンダ２５，２６，２７，２８に接触しながら搬送されることで、乾燥後の過剰な熱が冷却される。このとき、乾燥装置１４では、ウェブＷのインキ乾燥時に、このインキに含まれる溶剤が蒸気として発生し、溶剤蒸気がウェブＷの走行に同伴して冷却装置１５側に流れ込む。すると、冷却装置１５にて、溶剤蒸気が冷却されて凝縮し、ウェブＷの印刷面に付着し、この印刷面上のインキを溶解し、印刷品質を低下させてしまう。
【００４９】
そこで、実施例１では、乾燥装置１４から冷却装置１５にウェブＷを搬送するウェブ搬送装置にて、ウェブＷに同伴する溶剤蒸気の滞留を防止することで印刷面への悪影響を抑制し、印刷品質の向上を可能としている。
【００５０】
即ち、実施例１のウェブ搬送装置では、図１及び図２に示すように、冷却装置１５の冷却シリンダ（回転体）２５によるウェブＷの巻付け開始位置の近傍における気流の流れを促進する気流促進手段を設けている。この場合、ウェブＷが乾燥装置１４から冷却装置１５に搬送されて冷却されるとき、このウェブＷは、冷却シリンダ２５に巻き取られることから、ウェブＷの巻付け開始位置とは、ウェブＷの一方の面（本実施例では、下面）が最初に冷却シリンダ２５の外周面に接触する位置である。
【００５１】
実施例１にて、この気流促進手段は、冷却シリンダ２５によるウェブＷの巻付け開始位置の近傍の溶剤蒸気滞留部に向けて空気（流体）を供給する空気供給装置３１としている。具体的に、この空気供給装置３１は、冷却シリンダ２５における回転方向の上流側から溶剤蒸気滞留部に向けて空気を供給する。この場合、空気に代えて、水のミストを含有する空気を噴射してもよい。
【００５２】
この空気供給装置３１において、冷却シリンダ２５によるウェブＷの巻付け開始位置に対して、冷却シリンダ２５における回転方向の上流側には、エアチャンバ３２が設けられている。このエアチャンバ３２は、冷却シリンダ２５の軸方向に沿って配設され、少なくとも搬送するウェブＷの幅と同等の長さを有している。このエアチャンバ３２の上部には、冷却シリンダ２５の軸方向に沿ったスリットノズル３３が設けられている。このスリットノズル３３は、この冷却シリンダ２５の外周面に所定隙間をもって近接して配置されており、冷却シリンダ２５の接線方向であって、冷却シリンダ２５における回転方向の下流側に向けて空気を噴射（供給）可能となっている。なお、エアチャンバ３２には、エア配管３４を介して図示しない空気供給源に連結されている。
【００５３】
この場合、エアチャンバ３２のスリットノズル３３からの噴射エアの方向は、冷却シリンダ２５に巻き付けられるウェブＷの走行方向の下流側に向けて所定の鋭角に設定されている。即ち、エアチャンバ３２のスリットノズル３３からの噴射エアＦと、冷却シリンダ２５に巻き付けられるウェブＷとの間の角度θが９０度より小さい鋭角に設定されている。
【００５４】
また、エアチャンバ３２のスリットノズル３３からの噴射エアの噴射速度（供給速度）は、装置（印刷機）の運転速度とほぼ同速度に設定されている。即ち、冷却シリンダ２５が回転することで、その外周面の近傍には搬送流が発生し、この搬送流は冷却シリンダ２５の周速（または、ウェブＷの搬送速度）とほぼ同速度となっている。エアチャンバ３２のスリットノズル３３からは、冷却シリンダ２５の搬送流と同速度の噴射エアを噴射するようにしている。なお、エアチャンバ３２のスリットノズル３３から噴射される空気の流量は、冷却シリンダ２５の搬送流の流量の２倍から３倍程度の流量とすることが望ましい。
【００５５】
この場合、噴射エアの噴射速度及び噴射流量は、装置（印刷機）の運転速度に連動して制御されるようになっている。即ち、運転速度としての冷却シリンダ２５の回転速度（周速）やウェブＷの搬送速度が変動するのに伴って、噴射エアの噴射速度や噴射流量を変更する。この場合、冷却シリンダ２５の回転速度やウェブＷの搬送速度に対して適切な気流を形成することができる。
【００５６】
但し、噴射エアの噴射速度及び噴射流量を固定値として、装置（印刷機）の運転速度に連動して制御しなくてもよく、制御系を簡素化することができる。この場合、装置の運転速度に対して、噴射エアの噴射速度や噴射流量を高くすると、溶剤蒸気滞留部の気流を大きく促進することができ、噴射エアの噴射速度や噴射流量を低くすると、消費電力を低下させることができる。そのため、印刷機の印刷状態や周囲環境などにより、噴射エアの噴射速度及び噴射流量を適正値としてもよい。
【００５７】
なお、乾燥装置１４のウェブＷの出口側には、冷却装置１５の上流側に位置して上下一対のスモークカッタ４１，４２が設けられている。このスモークカッタ４１，４２は、乾燥装置１４から排出されるウェブＷに同伴する溶剤蒸気などの流体を剥離し、冷却シリンダ２５側に流れる溶剤蒸気の流量を減少させるものである。
【００５８】
ここで、実施例１のウェブ搬送装置の作動について説明する。
【００５９】
図１に示すように、印刷が完了したウェブＷは、乾燥装置１４にて、上下面（表面及び裏面）に温風が吹きつけられることでインキが乾燥され、冷却装置１５に搬送される。この冷却装置１５にて、ウェブＷは、各冷却シリンダ２５，２６・・・に順に巻き取られることで、表面及び裏面が冷却シリンダ２５，２６・・・の外周面に接触して冷却される。
【００６０】
このとき、乾燥装置１４では、ウェブＷに転写されたインキの乾燥時に、このインキに含まれる溶剤が蒸発し、溶剤蒸気がウェブＷの走行に同伴して冷却装置１５（冷却シリンダ２５）側に流れ込む。即ち、図３に示すように、乾燥装置１４から冷却装置１５に搬送されるウェブＷは、その走行により発生する気流により、溶剤蒸気を含めて周囲の空気を同伴させ、気流Ａを生成する。一方、冷却シリンダ２５は、ウェブＷの巻取方向に回転することから、その外周面の近傍にその回転方向に沿った搬送流Ｂを生成する。この溶剤蒸気を含んだ気流Ａと空気の搬送流Ｂは、冷却シリンダ２５によるウェブＷの巻付け開始位置の近傍の領域Ｄに向けて流れる。すると、溶剤蒸気を含んだ気流Ａは、空気の搬送流Ｂと混合し、一部は、排出気流Ｃとなって気流Ａと搬送流Ｂの間から排出されるが、その多くは、領域Ｄに滞留してしまう。
【００６１】
この点は、図４−１の気流の流れの模式図からも明らかであり、溶剤蒸気を含んだ気流Ａと、空気の搬送流Ｂが領域Ｄに向かって流れるものの、排出気流Ｃが微弱となり、旋回流Ｃ１が発生し、溶剤蒸気を含んだ気流Ａが領域Ｄに滞留し、この領域Ｄでの溶剤蒸気濃度が高くなっている。すると、冷却シリンダ２５により領域Ｄにある溶剤蒸気が冷却されて凝縮し、ウェブＷの印刷面に付着し、この印刷面上のインキを溶解し、印刷品質を低下させてしまう。
【００６２】
一方、実施例１のように、エアチャンバ３２のスリットノズル３３から、冷却シリンダ２５の搬送流Ｂに沿って空気を噴射すると、図４−２に示すように、空気の搬送流Ｂの流量が増加して搬送流Ｂ１となり、領域Ｄに流れ込む溶剤蒸気を含んだ気流Ａを排除し、排出気流Ｃに加えて、排出気流Ｃ２が発生する。つまり、領域Ｄから排出される気流を促進することで、溶剤蒸気を含んだ気流Ａの領域Ｄへの滞留を抑制し、この領域Ｄでの溶剤蒸気濃度を低下させる。すると、冷却シリンダ２５により領域Ｄにて溶剤蒸気が凝縮してウェブＷの印刷面に付着することはほとんどなく、印刷品質の低下が防止される。
【００６３】
このように実施例１のウェブ搬送装置及び印刷機にあっては、乾燥装置１４により乾燥されたウェブＷを冷却装置１５の冷却シリンダ２５に巻き付けて搬送しながら冷却するウェブ搬送工程にて、冷却シリンダ２５によるウェブＷの巻付け開始位置の近傍における気流の流れを促進する気流促進手段として、空気供給装置３１を設けている。
【００６４】
従って、ウェブＷが乾燥装置１４から冷却シリンダ２５に巻き付けられるとき、空気供給装置３１から冷却シリンダ２５によるウェブＷの巻付け開始位置の近傍の領域Ｄに向けて空気が供給されることで、この領域Ｄにおける排出気流の流れが促進される。そのため、ウェブＷに同伴する溶剤蒸気が冷却シリンダ２５によるウェブＷの巻付け開始位置の近傍で滞留することはなく、乾燥装置１４から搬送されるウェブＷに対して、このウェブＷに同伴する溶剤蒸気による悪影響を抑制し、インキや水性ニスなどの塗布液が塗布された塗布面における印刷品質の向上を可能とすることができる。
【００６５】
この場合、気流促進手段として空気供給装置３１を設けており、スリットノズル３３を有するエアチャンバ３２を設けるだけでよく、装置を簡素化することが可能となり、また、空気供給装置３１は、溶剤蒸気滞留部（領域Ｄ）に向けて空気を供給するため、ここに滞留する溶剤蒸気を適正に除去することができる。
【００６６】
また、実施例１のウェブ搬送装置では、空気供給装置３１は、冷却シリンダ２５における回転方向の上流側から溶剤蒸気滞留部（領域Ｄ）に向けて空気を供給している。従って、空気供給装置３１が、冷却シリンダ２５が回転することで発生する周囲の気流（搬送流）に合わせて空気を供給するため、空気を溶剤蒸気滞留部に向けて効率良く供給することができる。
【００６７】
また、実施例１のウェブ搬送装置では、空気供給装置３１による空気供給方向を、冷却シリンダ２５に巻き付けられるウェブＷの走行方向の下流側に向けて所定の鋭角に設定している。従って、空気供給装置３１からの空気を適正に溶剤蒸気滞留部に供給することができる。
【００６８】
また、実施例１のウェブ搬送装置では空気供給装置３１による空気供給速度を冷却シリンダ２５の周速と同速度に設定している。従って、空気供給装置３１からの空気が、冷却シリンダ２５が回転することで発生する周囲の気流と適正に流入することで、ウェブＷの搬送や印刷面に与える悪影響を低減することができる。
【００６９】
また、実施例１のウェブ搬送装置では、空気供給装置３１は、空気またはミストを含有する空気を噴射可能としている。従って、流体として空気を適用することで、構造の簡素化が可能となり、また、ミストを含有する空気を適用することで、乾燥装置１４で加熱されたウェブＷを効率的に冷却することができる。
【実施例２】
【００７０】
図６は、本発明の実施例２に係るウェブ搬送装置を表す概略図である。なお、前述した実施例で説明したものと同様の機能を有する部材には同一の符号を付して重複する説明は省略する。
【００７１】
実施例２のウェブ搬送装置では、図６に示すように、冷却装置１５の冷却シリンダ２５によるウェブＷの巻付け開始位置の近傍における気流の流れを促進する気流促進手段として、冷却シリンダ２５によるウェブＷの巻付け開始位置の近傍の溶剤蒸気滞留部に向けて空気（流体）を供給する空気供給装置５１を設けている。具体的に、この空気供給装置５１は、ウェブＷにおける走行方向の上流側から溶剤蒸気滞留部に向けて流体を供給する。
【００７２】
この空気供給装置５１において、乾燥装置１４と冷却装置１５の冷却シリンダ２５との間であって、走行するウェブＷの下方には、エアチャンバ５２が設けられている。このエアチャンバ５２は、冷却シリンダ２５の軸方向に沿って配設され、少なくとも搬送するウェブＷの幅と同等の長さを有している。このエアチャンバ５２における冷却シリンダ２５側には、冷却シリンダ２５の軸方向に沿ったスリットノズル５３が設けられている。このスリットノズル５３は、ウェブＷの走行方向の下流側に向けてほぼ平行に空気を噴射（供給）可能となっている。
【００７３】
この場合、エアチャンバ５２のスリットノズル５３からの噴射エアの噴射速度（供給速度）は、装置の運転速度、ここでは、ウェブＷの搬送速度とほぼ同速度に設定されている。即ち、ウェブＷが走行することで、その上下面の近傍には搬送流が発生し、この搬送流はウェブＷの搬送速度とほぼ同速度となっている。エアチャンバ５２のスリットノズル５３からは、ウェブＷの搬送流と同速度の噴射エアを噴射するようにしている。
【００７４】
従って、印刷が完了したウェブＷが、乾燥装置１４で熱乾燥され、冷却装置１５の各冷却シリンダ２５，２６・・・に順に巻き取られることで冷却されるとき、ウェブＷに転写されたインキに含まれる溶剤が蒸発し、溶剤蒸気がウェブＷの走行に同伴して冷却装置１５（冷却シリンダ２５）側に流れ込む。
【００７５】
このとき、空気供給装置５１にて、エアチャンバ５２のスリットノズル５３から、乾燥装置１４から冷却装置１５に搬送されるウェブＷに同伴する溶剤蒸気を含んだ気流Ａに沿って空気を噴射する。すると、溶剤蒸気を含んだ気流Ａの流量が増加して搬送流Ａ１となり、領域Ｄに流れ込む溶剤蒸気を含んだ気流Ａ１により領域Ｄから排出される気流が促進される。そのため、溶剤蒸気を含んだ気流Ａの領域Ｄへの滞留を抑制し、この領域Ｄでの溶剤蒸気濃度を低下させる。すると、冷却シリンダ２５により領域Ｄにて溶剤蒸気が凝縮してウェブＷの印刷面に付着することはほとんどなく、印刷品質の低下が防止される。
【００７６】
このように実施例２のウェブ搬送装置及び印刷機にあっては、乾燥装置１４により乾燥されたウェブＷを冷却装置１５の冷却シリンダ２５に巻き付けて搬送しながら冷却するウェブ搬送工程にて、冷却シリンダ２５によるウェブＷの巻付け開始位置の近傍における気流の流れを促進する気流促進手段として、空気供給装置５１を設けている。
【００７７】
従って、ウェブＷが乾燥装置１４から冷却シリンダ２５に巻き付けられるとき、空気供給装置５１から冷却シリンダ２５によるウェブＷの巻付け開始位置の近傍の領域Ｄに向けて空気が供給されることで、この領域Ｄにおける排出気流の流れが促進される。そのため、ウェブＷに同伴する溶剤蒸気が冷却シリンダ２５によるウェブＷの巻付け開始位置の近傍で滞留することはなく、乾燥装置１４から搬送されるウェブＷに対して、このウェブＷに同伴する溶剤蒸気による悪影響を抑制し、印刷品質の向上を可能とすることができる。
【００７８】
また、実施例２のウェブ搬送装置では、空気供給装置５１は、ウェブＷにおける走行方向の上流側から溶剤蒸気滞留部（領域Ｄ）に向けて空気を供給している。従って、空気供給装置５１からの空気が、冷却シリンダ２５に向かうウェブＷの同伴流と一緒となって溶剤蒸気滞留部に供給されることとなり、空気を適正に溶剤蒸気滞留部に供給することができる。
【実施例３】
【００７９】
図７は、本発明の実施例３に係るウェブ搬送装置を表す概略図である。なお、前述した実施例で説明したものと同様の機能を有する部材には同一の符号を付して重複する説明は省略する。
【００８０】
実施例３のウェブ搬送装置では、図７に示すように、冷却装置１５の冷却シリンダ２５によるウェブＷの巻付け開始位置の近傍における気流の流れを促進する気流促進手段として、冷却シリンダ２５によるウェブＷの巻付け開始位置の近傍に滞留する溶剤蒸気を吸引する空気吸引装置６１を設けている。
【００８１】
この空気吸引装置６１において、乾燥装置１４と冷却装置１５の冷却シリンダ２５との間であって、走行するウェブＷの下方には、吸引管６２が設けられている。この吸引管６２は、冷却シリンダ２５の軸方向に沿って配設され、少なくとも搬送するウェブＷの幅と同等の長さを有している。この吸引管６２における冷却シリンダ２５によるウェブＷの巻付け開始位置の近傍側には、冷却シリンダ２５の軸方向に沿った吸引ノズル６３が設けられている。この吸引ノズル６３は、スリット形状をなし、周辺の空気を吸引可能となっている。なお、吸引管６２には、図示しない吸引源が連結されている。
【００８２】
従って、印刷が完了したウェブＷが、乾燥装置１４で熱乾燥され、冷却装置１５の各冷却シリンダ２５，２６・・・に順に巻き取られることで冷却されるとき、ウェブＷに転写されたインキに含まれる溶剤が蒸発し、溶剤蒸気がウェブＷの走行に同伴して冷却装置１５（冷却シリンダ２５）側に流れ込む。
【００８３】
このとき、空気吸引装置６１にて、吸引ノズル６３から周囲の空気を吸引管６２内に吸引している。すると、溶剤蒸気を含んだ気流Ａが領域Ｄに流れ込む一方、冷却シリンダ２５の回転方向に伴って発生する空気の搬送流Ｂが領域Ｄに向けて流れる。すると、溶剤蒸気を含んだ気流Ａと空気の搬送流Ｂとが混合し、排出気流Ｃとなって気流Ａと搬送流Ｂの間から排出される。吸引ノズル６３は、この領域Ｄからの排出気流Ｃを吸引することで、領域Ｄから排出される気流が促進される。そのため、溶剤蒸気を含んだ気流Ａの領域Ｄへの滞留を抑制し、この領域Ｄでの溶剤蒸気濃度を低下させる。すると、冷却シリンダ２５により領域Ｄにて溶剤蒸気が凝縮してウェブＷの印刷面に付着することはほとんどなく、印刷品質の低下が防止される。
【００８４】
このように実施例３のウェブ搬送装置及び印刷機にあっては、乾燥装置１４により乾燥されたウェブＷを冷却装置１５の冷却シリンダ２５に巻き付けて搬送しながら冷却するウェブ搬送工程にて、冷却シリンダ２５によるウェブＷの巻付け開始位置の近傍における気流の流れを促進する気流促進手段として、空気吸引装置６１を設けている。
【００８５】
従って、ウェブＷが乾燥装置１４から冷却シリンダ２５に巻き付けられるとき、空気吸引装置６１により冷却シリンダ２５によるウェブＷの巻付け開始位置の近傍の領域Ｄに滞留する溶剤蒸気を含んだ空気を吸引することで、この領域Ｄにおける排出気流の流れが促進される。そのため、ウェブＷに同伴する溶剤蒸気が冷却シリンダ２５によるウェブＷの巻付け開始位置の近傍で滞留することはなく、乾燥装置１４から搬送されるウェブＷに対して、このウェブＷに同伴する溶剤蒸気による悪影響を抑制し、印刷品質の向上を可能とすることができる。
【００８６】
また、実施例３のウェブ搬送装置では、気流促進手段を、冷却シリンダ２５によるウェブＷの巻付け開始位置の近傍に滞留する溶剤蒸気を吸引する空気吸引装置６１としている。従って、装置を簡素化することが可能となり、また、空気吸引装置６１が滞留する溶剤蒸気を吸引するため、周辺の環境状態の悪化を防止することができる。
【実施例４】
【００８７】
図８は、本発明の実施例４に係るウェブ搬送装置を表す概略図、図９は、実施例４のウェブ搬送装置の変形例を表す概略図である。なお、前述した実施例で説明したものと同様の機能を有する部材には同一の符号を付して重複する説明は省略する。
【００８８】
実施例４のウェブ搬送装置では、図８に示すように、冷却装置１５の冷却シリンダ２５によるウェブＷの巻付け開始位置の近傍における気流の流れを促進する気流促進手段として、空気供給吸引装置７１を設けている。
【００８９】
この空気供給吸引装置７１は、上述した実施例１で説明したスリットノズル３３を有するエアチャンバ３２と、実施例３で説明した吸引ノズル６３を有する吸引管６２とを有している。即ち、冷却シリンダ２５によるウェブＷの巻付け開始位置に対して、冷却シリンダ２５における回転方向の上流側にエアチャンバ３２が配置され、冷却シリンダ２５の軸方向に沿ったスリットノズル３３が設けられている。このスリットノズル３３は、冷却シリンダ２５における回転方向の下流側に向けて空気を噴射（供給）可能となっている。また、乾燥装置１４と冷却装置１５の冷却シリンダ２５の下方には、吸引管６２が配置され、冷却シリンダ２５の軸方向に沿った吸引ノズル６３が設けられている。この吸引ノズル６３は、スリット形状をなし、周辺の空気を吸引可能となっている。
【００９０】
従って、印刷が完了したウェブＷが、乾燥装置１４で熱乾燥され、冷却装置１５の各冷却シリンダ２５，２６・・・に順に巻き取られることで冷却されるとき、ウェブＷに転写されたインキに含まれる溶剤が蒸発し、溶剤蒸気がウェブＷの走行に同伴して冷却装置１５（冷却シリンダ２５）側に流れ込む。
【００９１】
このとき、エアチャンバ３２のスリットノズル３３から、冷却シリンダ２５の搬送流Ｂに沿って空気を噴射すると、空気の搬送流Ｂの流量が増加し、領域Ｄに流れ込む溶剤蒸気を含んだ気流Ａを排除し、排出気流Ｃが発生する。そして、吸引ノズル６３は、この排出気流Ｃを吸引する。つまり、スリットノズル３３からの供給空気に合わせて、吸引ノズル６３の吸引力により領域Ｄから排出される気流を促進することで、溶剤蒸気を含んだ気流Ａの領域Ｄへの滞留を抑制し、この領域Ｄでの溶剤蒸気濃度を低下させる。すると、冷却シリンダ２５により領域Ｄにて溶剤蒸気が凝縮してウェブＷの印刷面に付着することはほとんどなく、印刷品質の低下が防止される。
【００９２】
なお、この実施例４では、実施例１で説明したスリットノズル３３を有するエアチャンバ３２と、実施例３で説明した吸引ノズル６３を有する吸引管６２とを合わせて空気供給吸引装置７１を構成したが、この構成に限定されるものではない。例えば、図９に示すように、実施例２で説明したスリットノズル５３を有するエアチャンバ５２と、実施例３で説明した吸引ノズル６３を有する吸引管６２とを合わせて空気供給吸引装置７１Ａを構成してもよい。更に、実施例１で説明したスリットノズル３３を有するエアチャンバ３２と、実施例２で説明したスリットノズル５３を有するエアチャンバ５２と、実施例３で説明した吸引ノズル６３を有する吸引管６２とを合わせて空気供給吸引装置を構成してもよい。
【００９３】
このように実施例４のウェブ搬送装置及び印刷機にあっては、乾燥装置１４により乾燥されたウェブＷを冷却装置１５の冷却シリンダ２５に巻き付けて搬送しながら冷却するウェブ搬送工程にて、冷却シリンダ２５によるウェブＷの巻付け開始位置の近傍における気流の流れを促進する気流促進手段として、空気供給吸引装置７１を設けている。
【００９４】
従って、ウェブＷが乾燥装置１４から冷却シリンダ２５に巻き付けられるとき、冷却シリンダ２５によるウェブＷの巻付け開始位置の近傍の領域Ｄに向けて空気が供給されると共に、この領域Ｄに滞留する溶剤蒸気を含んだ空気を吸引することで、この領域Ｄにおける排出気流の流れが促進される。そのため、ウェブＷに同伴する溶剤蒸気が冷却シリンダ２５によるウェブＷの巻付け開始位置の近傍で滞留することはなく、乾燥装置１４から搬送されるウェブＷに対して、このウェブＷに同伴する溶剤蒸気による悪影響を抑制し、印刷品質の向上を可能とすることができる。
【実施例５】
【００９５】
図１０は、本発明の実施例５に係るウェブ搬送装置を表す概略図である。なお、前述した実施例で説明したものと同様の機能を有する部材には同一の符号を付して重複する説明は省略する。
【００９６】
実施例５のウェブ搬送装置では、図１０に示すように、気流促進手段としての空気供給装置８１は、冷却シリンダ２５によるウェブＷの巻付け開始位置に対して、冷却シリンダ２５における回転方向の上流側に配置されたエアチャンバ８２と、冷却シリンダ２５の軸方向に沿ってエアチャンバ８２に形成された噴射ノズル８３とから構成されている。本実施例にて、噴射ノズル８３は、冷却シリンダ２５における回転方向の下流側に向けて空気を噴射（供給）可能となっている。また、噴射ノズル８３は、冷却シリンダ２５における軸方向における中央部から端部側に向けて空気を噴射可能としている。即ち、噴射ノズル８３は、冷却シリンダ２５における軸方向中央位置では冷却シリンダ２５の周方向に沿って空気を噴射するが、冷却シリンダ２５における軸方向端部側では冷却シリンダ２５の軸端側に向けて斜めに空気を噴射する。
【００９７】
具体的には、スリットノズル内に供給する空気の噴射方向を変更する偏向板を配置したり、多数の噴射ノズルにより構成すればよい。その結果、冷却シリンダ２５によるウェブＷの巻付け開始位置の近傍に滞留する気流の流れを促進し、ここに滞留する溶剤蒸気を冷却シリンダ２５の軸端側へも排除することができる。
【００９８】
このように実施例５のウェブ搬送装置及び印刷機にあっては、乾燥装置１４により乾燥されたウェブＷを冷却装置１５の冷却シリンダ２５に巻き付けて搬送しながら冷却するウェブ搬送工程にて、冷却シリンダ２５によるウェブＷの巻付け開始位置の近傍における気流の流れを促進する気流促進手段として、空気供給装置８１を設け、噴射ノズル８３の一部を冷却シリンダ２５における軸端側に向けている。
【００９９】
従って、ウェブＷが乾燥装置１４から冷却シリンダ２５に巻き付けられるとき、冷却シリンダ２５によるウェブＷの巻付け開始位置の近傍の領域Ｄに向けて空気が供給されることで、この領域Ｄにおける排出気流の流れが促進される。このとき、噴射ノズル８３から冷却シリンダ２５における軸端側に空気が噴射されることで、冷却シリンダ２５によるウェブＷの巻付け開始位置の近傍に滞留する溶剤蒸気は、冷却シリンダ２５から単に離間する方向に排除されるだけでなく、軸端側にも排除されることとなり、溶剤蒸気を適正に排除し、ウェブＷに同伴する溶剤蒸気による悪影響を抑制することができる。
【実施例６】
【０１００】
図１１は、実施例６のウェブ搬送装置が搭載された印刷機を表す概略構成図である。
【０１０１】
本実施例の印刷機は、新聞用オフセット輪転印刷機であって、図１１に示すように、給紙装置１０１とインフィード装置１０２と下地処理装置１０３と印刷装置１０４とを有し、また、図示しないが、ウェブパス装置、折り装置、排紙装置を有している。
【０１０２】
給紙装置１０１は、巻取紙Ｒとして装備されたウェブＷをインフィード装置１０２を介して下地処理装置１０３及び印刷ユニット１０３に搬送する。インフィード装置１０２は、インフィードローラ１０２ａと、移動してウェブパス距離を変更しながらウェブＷの張力を調整するダンサーローラ１０２ｂと、ダンサーローラ１０２ｂからのウェブＷの出側に配置されたガイドローラ１０２ｃとを有して構成され、ウェブＷを所定の張力に保持しながら下地処理装置１０３へ送り出す。
【０１０３】
下地処理装置１０３は、一般的なオフセット印刷の印刷ユニットと同様に構成され、下地処理剤供給装置１０３ａと、乾燥装置１０３ｂとを有している。下地処理剤供給装置１０３ａは、下地処理剤を刷版に供給する一対の下地処理剤供給ロール１１１ａ，１１１ｂと、下地処理剤の印刷領域に応じた刷版が装着された版胴１１２ａ，１１２ｂとを有している。乾燥装置１０３ｂは、ウェブＷの印刷面に転写した下地処理剤を乾燥するものであり、下地処理剤を加熱乾燥する加熱装置として構成されている。
【０１０４】
そして、下地処理装置１０３の乾燥装置１０３ｂと印刷装置１０４との間には，ガイドローラ（回転体）１２１が配置されている。そして、このガイドローラ１２１によるウェブＷの巻付け開始位置の近傍における気流の流れを促進する気流促進手段として、ガイドローラ１２１によるウェブＷの巻付け開始位置の近傍の溶剤蒸気滞留部に向けて空気（流体）を供給する空気供給装置１０５が設けられている。この空気供給装置１０５は、ウェブＷにおける走行方向の上流側から溶剤蒸気滞留部に向けて流体を供給する。
【０１０５】
従って、給紙装置１０１から供給されたウェブＷは、インフィード装置１０２によりテンションが調整され、下地処理装置１０３に搬送される。この下地処理装置１０３の下地処理剤供給部１０３ａでは、下地処理剤が下地処理剤供給ロール１１１ａ，１１１ｂから版胴１１２ａ，１１２ｂを介してウェブＷにおける所定のページに転写される。続いて、乾燥装置１０３ｂでは、ウェブＷにおける下地処理剤が転写された面に対して温風が吹き付けられることで、下地処理剤が加熱されて乾燥される。そして、ウェブＷは、ガイドローラ１２１にガイドされて印刷装置１０４に搬送される。
【０１０６】
このとき、空気供給装置１０５から、ガイドローラ１２１によるウェブＷの巻付け開始位置の近傍に空気を噴射すると、ガイドローラ１２１による空気の搬送流の流量が増加し、溶剤蒸気滞留部から排出される気流が促進され、溶剤蒸気を含んだ気流の滞留が抑制され、溶剤蒸気濃度を低下させる。すると、溶剤蒸気が凝縮してウェブＷにおける下地処理剤の塗布面に付着することはほとんどなく、品質の低下が防止される。
【０１０７】
このように実施例６のウェブ搬送装置及び印刷機にあっては、下地処理装置１０３の乾燥装置１０３ｂにより乾燥されたウェブＷをガイドローラ１２１に巻き付けて搬送するとき、ガイドローラ１２１によるウェブＷの巻付け開始位置の近傍における気流の流れを促進する気流促進手段として、空気供給装置１０５を設けている。
【０１０８】
従って、ウェブＷが乾燥装置１０３ｂからガイドローラ１２１に巻き付けられるとき、空気供給装置１０５からガイドローラ１２１によるウェブＷの巻付け開始位置の近傍の領域に向けて空気が供給されることで、この領域における排出気流の流れが促進される。そのため、ウェブＷに同伴する溶剤蒸気がガイドローラ１２１によるウェブＷの巻付け開始位置の近傍で滞留することはなく、乾燥装置１０３ｂから搬送されるウェブＷに対して、このウェブＷに同伴する溶剤蒸気による悪影響を抑制し、下地処理剤などの塗布液が塗布された塗布面における印刷品質の向上を可能とすることができる。
【０１０９】
なお、上述した実施例６では、気流促進手段として、上述した実施例１と同様の構成をなす空気供給装置１０５を適用したが、この構成に限定されるものではなく、実施例２〜５で適用した構成としてもよい。
【０１１０】
また、上述した各実施例では、本発明のウェブ搬送装置を商業用オフセット輪転印刷機における乾燥装置１４と冷却装置１５との間に配置したり、新聞用オフセット輪転印刷機における乾燥装置１０５とガイドローラ１２１との間に配置したりしたが、適用箇所はこの位置に限定されるものではなく、印刷機の形態に限定されるものではない。また、実施例１から５にて、冷却装置１５の冷却シリンダ２５，２６，２７，２８の配置構成は、実施例に限るものではなく、乾燥装置１４からのウェブＷが上方に搬送されるように冷却シリンダを配置した場合、気流促進手段は、走行するウェブＷの上方に配置されることとなる。更に、本発明のウェブ搬送装置は、乾燥装置１４の下流側であればよく、乾燥装置１４と冷却装置１５との間でなくてもよい。この場合、冷却装置１５の冷却シリンダ２５は、単なるガイドローラでよい。
【０１１１】
また、各実施例にて、乾燥装置１４を温風乾燥装置としたが、ウェブＷのインキに熱を与えて乾燥するものであればよく、例えば、赤外線（ＩＲ）を用いた乾燥装置であってもよい。更に、乾燥装置により乾燥するインキは、油性でも、水性でもよく、コーティング材などであってもよい。
【産業上の利用可能性】
【０１１２】
本発明に係るウェブ搬送装置及び印刷機は、回転体によるウェブの巻付け開始位置の近傍における気流の流れを促進する気流促進手段を設けることで、乾燥装置から搬送されて表面に溶剤を含む塗布液が塗布された面に蒸発した溶剤が再付着することにより、塗布面が欠損することを防止するものであり、いずれの搬送装置や印刷機にも適用することができる。
【符号の説明】
【０１１３】
１１  給紙装置
１２  インフィード装置
１３  印刷装置
１４  乾燥装置
１５  冷却装置
１６  ウェブパス装置
１７  折り装置
１８  排紙装置
２１，２２，２３，２４  印刷ユニット
２５，２６，２７，２８  冷却シリンダ（回転体）
３１，５１，８１  空気供給装置（気流促進手段、流体供給手段）
３２，５２，８２  エアチャンバ
３３，５３  スリットノズル
６１  空気吸引装置（気流促進手段、流体吸引手段）
６２  吸引管
６３  吸引ノズル
７１  空気供給吸引装置（気流促進手段、流体吸引手段）
８３  噴射ノズル
１０１  給紙装置
１０２  インフィード装置
１０３  下地処理装置
１０３ａ  下地処理剤供給装置
１０３ｂ  乾燥装置
１０４  印刷装置
１０５  空気供給吸引装置（気流促進手段、流体供給手段）
１２１  ガイドローラ（回転体）
Ｗ  ウェブ（シート）
【図１】
2011116036.tif 000003
【図２】
2011116036.tif 000004
【図３】
2011116036.tif 000005
【図４−１】
2011116036.tif 000006
【図４−２】
2011116036.tif 000007
【図５】
2011116036.tif 000008
【図６】
2011116036.tif 000009
【図７】
2011116036.tif 000010
【図８】
2011116036.tif 000011
【図９】
2011116036.tif 000012
【図１０】
2011116036.tif 000013
【図１１】
2011116036.tif 000014